(57)【要約】【課題】  入口、出口の差圧が小さい場合は開口面積の大きな弁口を開弁でき、入口、出口の差圧が大きい場合は開口面積の小さな弁口を開弁できるフロート弁を提供する。【解決手段】  入口あるいは出口となる第１及び第２の開口２，３を有し両開口の間に弁室４が形成された弁ケーシング１と、第１開口と弁室の間を仕切る第１隔壁部材５と、第２開口と弁室の間を仕切る第２隔壁部材７と、第１隔壁部材に形成した第１流入口１０及び第１弁口１１と、第２の隔壁部材に形成した第２流入口１４及び第１弁口１１よりも開口面積の小さな第２弁口１５と、第１流入口を通って第１開口から弁室への流体の流入を許し弁室から第１開口への流出を禁止する第１逆止弁体１２と、第２流入口を通って第２開口から弁室への流体の流入を許し弁室から第２開口への流出を禁止する第２逆止弁体１６と、弁室内に収容され第１あるいは第２弁口を開閉するフロート１７とを具備する。【選択図】      図１
2006316941.tif 000002
【特許請求の範囲】
【請求項１】
入口あるいは出口となる第１及び第２の開口を有し両開口の間に弁室が形成された弁ケーシングと、第１開口と弁室の間を仕切る第１隔壁部材と、第２開口と弁室の間を仕切る第２隔壁部材と、第１隔壁部材に形成した第１流入口及び第１弁口と、第２隔壁部材に形成した第２流入口及び第１弁口よりも開口面積の小さな第２弁口と、第１流入口を通って第１開口から弁室への流体の流入を許し弁室から第１開口への流出を禁止する第１逆止弁体と、第２流入口を通って第２開口から弁室への流体の流入を許し弁室から第２開口への流出を禁止する第２逆止弁体と、弁室内に収容され第１あるいは第２弁口を開閉するフロートとを具備したことを特徴とするフロート弁。
【発明の詳細な説明】
【技術分野】
【０００１】
本発明はフロートの浮上降下により弁口を開閉するフロート弁、例えば、各種蒸気使用機器や蒸気配管等から自動的に復水だけを排出するスチームトラップ、空気配管中から復水だけを排出するエアトラップ、あるいは、液体配管等から不凝縮ガスを排出するエアベント等に関する。
【背景技術】
【０００２】
フロート弁の基本的構成は、例えば特公昭５９−３２７１８号公報に示されている。ここに開示されたフロート弁はフリーフロート式トラップであり、当該公報から理解されるように、内部に弁室を有する弁ケーシングに一組の出入口を形成し、弁室と出口の間の隔壁部材に両者を連通する弁口を設け、弁室内に収容したフロートで弁口を開閉するようにしたものである。
【０００３】
上記フロート弁における開弁力は、弁口面積と入口、出口の差圧から決定される。フロートの浮力による開弁力が同一の場合、入口、出口の差圧が小さい場合は、弁口面積が大きなものであっても開弁できるが、差圧が大きい場合には、開弁できないという問題点があった。
【特許文献１】特公昭５９−３２７１８号公報
【発明の開示】
【発明が解決しようとする課題】
【０００４】
解決しようとする課題は、入口、出口の差圧が小さい場合は開口面積の大きな弁口を開弁でき、入口、出口の差圧が大きい場合は開口面積の小さな弁口を開弁できるフロート弁を提供することである。
【課題を解決するための手段】
【０００５】
本発明のフロート弁は、入口あるいは出口となる第１及び第２の開口を有し両開口の間に弁室が形成された弁ケーシングと、第１開口と弁室の間を仕切る第１隔壁部材と、第２開口と弁室の間を仕切る第２隔壁部材と、第１隔壁部材に形成した第１流入口及び第１弁口と、第２隔壁部材に形成した第２流入口及び第１弁口よりも開口面積の小さな第２弁口と、第１流入口を通って第１開口から弁室への流体の流入を許し弁室から第１開口への流出を禁止する第１逆止弁体と、第２流入口を通って第２開口から弁室への流体の流入を許し弁室から第２開口への流出を禁止する第２逆止弁体と、弁室内に収容され第１あるいは第２弁口を開閉するフロートとを具備したことを特徴とする。
【発明の効果】
【０００６】
本発明は、入口、出口の差圧に応じて入口と出口を逆に配管することにより、入口、出口の差圧が小さい場合は開口面積の大きな弁口を開弁でき、入口、出口の差圧が大きい場合は開口面積の小さな弁口を開弁できるという優れた効果を生じる。
【発明を実施するための最良の形態】
【０００７】
本発明のフロート弁は、入口、出口の差圧が大きな場合、第１開口を入口として第２開口を出口として配管する。第１流入口は第１逆止弁体によって開口され、第２流入口は第２逆止弁体によって閉口される。第１流入口から流入する流体によってフロートが浮上降下して第１弁口よりも開口面積の小さな第２弁口を開閉する。そのため、入口、出口の差圧が大きな場合は開口面積の小さな第２弁口を開弁できる。これに対して、入口、出口の差圧が小さな場合、第２開口を入口として第１開口を出口として配管する。第２流入口は第２逆止弁体によって開口され、第１流入口は第１逆止弁体によって閉口される。第２流入口から流入する流体によってフロートが浮上降下して第２弁口よりも開口面積の大きな第１弁口を開閉する。そのため、入口、出口の差圧が小さな場合は開口面積の大きな第１弁口を開弁できる。
【実施例１】
【０００８】
上記の技術的手段の具体例を示す実施例を説明する（図１参照）。本実施例においてはフリーフロート式エアトラップに用いた具体例で説明する。弁ケーシング１の一端に入口あるいは出口となる第１開口２が形成され、他端に入口あるいは出口となる第２開口３が形成され、両開口２，３の間に弁室４が形成される。第１開口２の弁室４側端に第１隔壁部材５がスナップリング６で固定され、第１開口２と弁室４とが仕切られる。また第２開口３の弁室４側端に第２隔壁部材７がスナップリング８で固定され、弁室４と第２開口３とが仕切られる。
【０００９】
第１隔壁部材５の中心には貫通孔９が開けられ、貫通孔９の周囲には複数個の第１流入口１０が開けられている。中心に第１弁口１１が開けられ傘部で第１流入口１０を開閉する第１逆止弁体１２が貫通孔９に固定されている。第２隔壁部材７の中心には貫通孔１３が開けられ、貫通孔１３の周囲には複数個の第２流入口１４が開けられている。中心に第２弁口１５が開けられ傘部で第２流入口１４を開閉する第２逆止弁体１６が貫通孔１３に固定されている。第２弁口１５の開口面積は第１弁口１１の開口面積よりも小さく形成する。弁室４内に球形のフロート１７を自由状態で収容する。尚、参照番号１８はフロート１７を第１及び第２弁口１１，１５方向に案内するために本体１に形成された複数個のリブであり、参照番号１９，２０は、配管連結のために本体１に形成された雌ねじである。
【００１０】
入口、出口の差圧が大きな場合、第１開口２を入口として第２開口３を出口として配管する。第１流入口１０は第１逆止弁体１２によって開口され、第２流入口１４は第２逆止弁体１６によって閉口される。第１流入口１０から流入するドレンによって弁室４内の液面が上昇すると、フロート１７が浮上して開口面積の小さな第２弁口１５を開弁してドレンを排出し、ドレンの排出によって弁室４内の液面が低下すると、フロート１７が降下して第２弁口１５を閉弁する。また第２開口３側から逆流が生じた場合は、第１逆止弁体１２が第１流入口１０を閉口すると共にフロート１７が第１弁口１１を閉弁することによって逆流を阻止する。
【００１１】
これに対して、入口、出口の差圧が小さな場合、弁ケーシング１を図示の状態から上下逆にして、第２開口３を入口として第１開口２を出口として配管する。第２流入口１４は第２逆止弁体１６によって開口され、第１流入口１０は第１逆止弁体１２によって閉口される。第２流入口１４から流入するドレンによって弁室４内の液面が上昇すると、フロート１７が浮上して開口面積の大きな第１弁口１１を開弁してドレンを排出し、ドレンの排出によって弁室４内の液面が低下すると、フロート１７が降下して第１弁口１１を閉弁する。また第１開口２側から逆流が生じた場合は、第２逆止弁体１６が第１流入口１４を閉口すると共にフロート１７が第２弁口１５を閉口することによって逆流を阻止する。
【図面の簡単な説明】
【００１２】
【図１】本発明の実施例のフリーフロート式エアトラップの断面図。
【符号の説明】
【００１３】
１  弁ケーシング
２  第１開口
３  第２開口
４  弁室
５  第１隔壁部材
７  第２隔壁部材
１０  第１流入口
１１  第１弁口
１２  第１逆止弁体
１４  第２流入口
１５  第２弁口
１６  第２逆止弁体
１７  フロート
【図１】
2006316941.tif 000003